(57)【要約】      （修正有）【課題】小動物・猫・鳥・小枝などには反応せず、重量のある物に対し作動する重量センサを提供する。【解決手段】手摺のような形状の本体ケーシングに支柱を入れ、スプリングを支柱に取り付けてケーシングを支え、本体ケーシングに重量がかかるとリミットスイッチが作動するようにした。【選択図】図１
0003133535.tif 000002
【実用新案登録請求の範囲】
【請求項１】
通常手摺りの用な、形状の物であるが、重さにより作動し警報を出したりカメラで録画など多種多様に、使用出来ます。
【考案の詳細な説明】
【０００１】特に植木の枝などで、他のセンサーなどが取り付けにくい所に適します。
【０００２】小動物猫、鳥、小枝など反応せず、重量のある物に対し作動します。
【考案の詳細な説明】
図▲１▼本体ケ−シング（角パイプ、丸パイプ、他）
図▲２▼支柱
図▲３▼リミットスイッチ当たりドグ
図▲４▼内部フレ−ム
図▲５▼リミットスイッチ
図▲６▼スプリング
図▲７▼抜け止めピン
図▲８▼取付ベ−ス
図▲９▼止めネジ
図▲１０▼警報電線
図▲１１▼警報器
図▲１▼〜図▲１１▼の組合せにより図▲１▼に重さがかかると図▲６▼スプリングが収縮し図▲３▼のリミットスイッチが働き信号を、図▲１０▼警報電線より図▲１１▼警報器に送ると、光、音、また連動するカメラにも録画される。
0003133535.tif 000003
0003133535.tif 000004
【手続補正書】
【提出日】平成18年7月18日(2006.7.18)
【手続補正１】
【補正対象書類名】実用新案登録請求の範囲
【補正対象項目名】全文
【補正方法】変更
【補正の内容】
【実用新案登録請求の範囲】
【請求項１】
誤動作の少ない防犯用重量センサ−、フェンス・手摺り・門扉屏・ブロック屏他の上に設置し使用。
光電管や光センサ−・温度センサ−などは小動物・鳥・猫・木の葉などで誤動作をよく起こしているのを改善したセンサ−です。
【手続補正２】
【補正対象書類名】明細書
【補正対象項目名】全文
【補正方法】変更
【補正の内容】
【考案の詳細な説明】
【請求項１】
通常手摺りの用な、形状の物であるが重さにより作動し、警報を出したり、カメラで録画など多種多様にブロック屏の上や、ベランダ・フェンス・門屏の上に取り付けて、重さを使い方により色々と変えて使用します。
【０００１】特に植木の枝などで、他のセンサ−などが取り付けにくい所に適します。
【０００２】小動物・猫・鳥・小枝など反応せず、重量のある物に対し作動します。
【０００３】本体の上に重量が掛かると、作動する。
重量により、警報・カメラ・光・音などを作動させ、知らせる装置です。
【０００４】今までのセンサ−は、鳥・小動物・木の枝などで誤動作を起こしていたが重量で信号を出すと、誤動作が無くなる。
【考案の詳細な説明】
【考案か解決使用とする課題】
【０００１】従来までは光電スイッチや温度センサ−を使い電気信号にて、警報を出していたが大量の雨や小動物、木の枝などで誤動作を起こしていたのを解決する物であります。
【課題を解決するための手段】
【０００２】重さによって誤動作をなくする。
【図面の簡単な説明】角パイプ・丸パイプ他フレ−ムを利用し、そのフレ−ムに重さが掛かるとスプリングによりフレ−ムが動くとリミットスイッチが働き、信号が出る仕組み。
【符号の説明】
図１本体ケ−シング（角パイブ・丸パイプ他）
図２支柱
図３リミットスイッチ当たりドグ
図４内部フレ−ム
図５リミットスイッチ
図６スプリング（使い方により、強さを変える）
図７抜け止めピン
図８取り付けベ−ス
図９止めネジ
図１０警報電線
図１１警報器
図１〜図１１の組合せにより図１に重さが掛かると、図６スプリングが収縮し図３のリミットスイッチが働き信号を、図１０警報電線より図１１警報器に送ると光・音また連動するカメラにも録画される。
0003133535.tif 000005
0003133535.tif 000006
0003133535.tif 000007
【手続補正書】
【提出日】平成18年9月27日(2006.9.27)
【手続補正１】
【補正対象書類名】実用新案登録請求の範囲
【補正対象項目名】全文
【補正方法】変更
【補正の内容】
【実用新案登録請求の範囲】
【請求項１】
誤動作の少ない防犯用重量センサ−、フェンス・手摺り・門扉屏・ブロック屏他入ってはならない所に設置、光電管や光センサ−温度センサ−などは小動物・鳥・猫・木の葉などで誤動作をよく起こしているのを改善した重量センサ−
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【０００１】特に植木の枝などで、他のセンサ−などが取付にくい所に適します
【０００２】小動物・猫・鳥・小枝など反応せず重量のある物に対し作動します
【０００３】本体の上に重量がかかると作動する。重量により警報・カメラ・光音などを作動させ知らせる装置です
【０００４】今までのセンサ−は鳥・小動物・木の枝などで誤動作を起こしていたが重量で信号を出すと、誤動作がなくなり威力を出す
【０００５】手の届く低い所でも重さを感じ知らせる
【０００６】図１本体より他の場所に取付た警報器に接続し光りや音で知らす
【０００７】警報器は仮に１０の電線を切断すると警報が鳴るようになっている
【考案の詳細な説明】
【考案か解決使用とする課題】
【０００８】従来までは光電スイッチや温度センサ−を使い電気信号にて、警報を出していたが大量の雨や小動物、木の枝など誤動作を起こしていたのを解決する物であります
【課題を解決使用するための手段】
【０００９】重さによって誤動作をなくする
【図面の簡単な説明】
【００１０】
【図１】は角パイプ・丸パイプ他フレ−ムを利用し、そのフレ−ムに重さがかかるとスプリングによりフレ−ムが動くとリミットスイッチが働き、信号が出る仕組み
【図２】は警報器配線図である
【符号の説明】
【００１１】  １本体ケ−シング（角パイプ・丸パイプ他）
２支柱
３リミットスイッチ当たりドグ
４内部フレ−ム
５リミットスイッチ
６スプリング（使い方により、強さを変える）
７抜け止めピン
８取付ベ−ス
９止めネジ
１０警報電線
１１警報器
＊図１〜図１１の組合せにより図１に重さがかかると、図６スプリングが収縮し図３のリミットスイッチが働き信号を、図１０警報電線より図１１警報器に送ると光・音また連動するカメラにも録画される
【手続補正３】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
0003133535.tif 000008
【図２】
0003133535.tif 000009
【手続補正書】
【提出日】平成18年12月25日(2006.12.25)
【手続補正１】
【補正対象書類名】実用新案登録請求の範囲
【補正対象項目名】全文
【補正方法】変更
【補正の内容】
【実用新案登録請求の範囲】
【請求項１】
誤動作の少ない防犯用重量センサ−、手摺のような形状の物で支柱は取付たい所に固定し、支柱にスプリングをはめ込み本体ケ−シングは、支柱をガイドにして組み込んでいるが、固定していないのでケ−シングは動くと、リミットスイッチが働く仕組
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【０００１】特に植木の枝などで、他のセンサ−などが取付にくい所に適します
【０００２】小動物・猫・鳥・小枝など反応せず重量のある物に対し作動します
【０００３】本体の上に重量がかかると作動する。重量により警報・カメラ・光音などを作動させ知らせる装置です
【０００４】今までのセンサ−は鳥・小動物・木の枝などで誤動作を起こしていたが重量で信号を出すと、誤動作がなくなり威力を出す
【０００５】手の届く低い所でも重さを感じ知らせる
【０００６】図１本体より他の場所に取付た警報器に接続し光りや音で知らす
【０００７】警報器は仮に１０の電線を切断すると警報が鳴るようになっている
【考案の詳細な説明】
【考案が解決しようとする課題】
【０００８】従来までは光電スイッチや温度センサ−を使い電気信号にて、警報を出していたが大量の雨や小動物、木の枝など誤動作を起こしていたのを解決する物であります
【課題を解決するための手段】
【０００９】重さによって誤動作をなくする
【図面の簡単な説明】
【００１０】
【図１】は角パイプ・丸パイプ他フレ−ムを利用し、そのフレ−ムに重さがかかるとスプリングによりフレ−ムが動くとリミットスイッチが働き、信号が出る仕組み
【図２】は警報器配線図である
【符号の説明】
【００１１】  １本体ケ−シング（角パイプ・丸パイプ他）
２支柱
３リミットスイッチ当たりドグ
４内部フレ−ム
５リミットスイッチ
６スプリング（使い方により、強さを変える）
７抜け止めピン
８取付ベ−ス
９止めネジ
１０警報電線
１１警報器
＊図１〜図１１の組合せにより図１に重さがかかると、図６スプリングが収縮し図３のリミットスイッチが働き信号を、図１０警報電線より図１１警報器に送ると光・音また連動するカメラにも録画される
【手続補正３】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
0003133535.tif 000010
【図２】
0003133535.tif 000011
【手続補正書】
【提出日】平成19年3月7日(2007.3.7)
【手続補正１】
【補正対象書類名】実用新案登録請求の範囲
【補正対象項目名】全文
【補正方法】変更
【補正の内容】
【実用新案登録請求の範囲】
【請求項１】
手摺のような形状の本体ケ−シングに支柱を入れスプリングを支柱に取付、ケ−シングを支え本体ケ−シングに重量がかかるとリミットスイッチが動くようにした防犯重量センサ−
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【０００１】特に植木の枝などで、他のセンサ−などが取付にくい所に適します
【０００２】小動物・猫・鳥・小枝など反応せず重量のある物に対し作動します
【０００３】本体の上に重量がかかると作動する。重量により警報・カメラ・光音などを作動させ知らせる装置です
【０００４】今までのセンサ−は鳥・小動物・木の枝などで誤動作を起こしていたが重量で信号を出すと、誤動作がなくなり威力を出す
【０００５】手の届く低い所でも重さを感じ知らせる
【０００６】図１本体より他の場所に取付た警報器に接続し光りや音で知らす
【０００７】警報器は仮に１０の電線を切断すると警報が鳴るようになっている
【考案の詳細な説明】
【考案か解決使用とする課題】
【０００８】従来までは光電スイッチや温度センサ−を使い電気信号にて、警報を出していたが大量の雨や小動物、木の枝など誤動作を起こしていたのを解決する物であります
【課題を解決使用するための手段】
【０００９】重さによって誤動作をなくする
【図面の簡単な説明】
【００１０】
【図１】は角パイプ・丸パイプ他フレ−ムを利用し、そのフレ−ムに重さがかかるとスプリングによりフレ−ムが動くとリミットスイッチが働き、信号が出る仕組み
【図２】は警報器配線図である
【符号の説明】
【００１１】  １本体ケ−シング（角パイプ・丸パイプ他）
２支柱
３リミットスイッチ当たりドグ
４内部フレ−ム
５リミットスイッチ
６スプリング（使い方により、強さを変える）
７抜け止めピン
８取付ベ−ス
９止めネジ
１０警報電線
１１警報器
＊図１〜図１１の組合せにより図１に重さがかかると、図６スプリングが収縮し図３のリミットスイッチが働き信号を、図１０警報電線より図１１警報器に送ると光・音また連動するカメラにも録画される
【手続補正３】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
0003133535.tif 000012
【図２】
0003133535.tif 000013